(57)【要約】【課題】第１のアンテナの第１の共振点および第２の共振点を調整した場合であっても、第１のアンテナによる送信または受信に悪影響がおよぶおそれを低減することができる携帯端末を提供すること。【解決手段】制御部４９は、第１のアンテナ３０の第１の共振点および第２の共振点のいずれか一方を周波数に調整した結果、調整前に比して、第１のアンテナ３０の第１の共振点および第２の共振点のいずれか他方が第２のアンテナ３５の第３の共振点に係る周波数帯に近接した場合であって所定の条件を満たしたとき、マッチング回路３１により第１のアンテナ３０の第１の共振点および第２の共振点のいずれか他方を周波数に調整する。【選択図】図２
2011071946.tif 000002
【特許請求の範囲】
【請求項１】
第１の共振点および第２の共振点を有する第１のアンテナと、
前記第１の共振点および前記第２の共振点とは異なる第３の共振点を有する第２のアンテナと、
前記第１のアンテナに接続され、前記第１のアンテナの前記第１の共振点および前記第２の共振点を併せて調整する調整手段と、
前記第１のアンテナにより所定の周波数の信号を送信または受信する際、前記調整手段により前記第１のアンテナの前記第１の共振点および前記第２の共振点のいずれか一方を前記所定の周波数に調整して、前記第１のアンテナにより前記所定の周波数の信号を送信または受信する制御部と、を有し、
前記制御部は、前記第１のアンテナの前記第１の共振点および前記第２の共振点のいずれか一方を前記所定の周波数に調整した結果、当該調整前に比して、前記第１のアンテナの前記第１の共振点および前記第２の共振点のいずれか他方が前記第２のアンテナの前記第３の共振点に係る周波数帯に近接した場合であって所定の条件を満たしたとき、前記調整手段により前記第１のアンテナの前記第１の共振点および前記第２の共振点のいずれか他方を前記所定の周波数に調整する、ことを特徴とする携帯端末。
【請求項２】
前記制御部は、前記第１のアンテナの前記第１の共振点および前記第２の共振点のいずれか一方を前記所定の周波数に調整した結果、前記第１のアンテナの前記第１の共振点および前記第２の共振点のいずれか他方が前記第２のアンテナの前記第３の共振点に係る周波数帯に重複した場合であって前記所定の条件を満たしたとき、前記調整手段により前記第１のアンテナの前記第１の共振点および前記第２の共振点のいずれか他方を前記所定の周波数に調整する、ことを特徴とする請求項１に記載の携帯端末。
【請求項３】
前記制御部は、前記第２のアンテナによる前記第３の共振点に係る周波数帯の信号の送信または受信がされた場合には、前記所定の条件を満たしたものとして、前記調整手段により前記第１のアンテナの前記第１の共振点および前記第２の共振点のいずれか他方を前記所定の周波数に調整する、ことを特徴とする請求項１または請求項２に記載の携帯端末。
【請求項４】
前記制御部は、前記第２のアンテナによる前記第３の共振点に係る周波数帯の信号の送信または受信がされて、かつ当該信号の送信レベルまたは受信レベルが閾値を超えた場合には、前記所定の条件を満たしたものとして、前記調整手段により前記第１のアンテナの前記第１の共振点および前記第２の共振点のいずれか他方を前記所定の周波数に調整する、ことを特徴とする請求項３に記載の携帯端末。
【請求項５】
前記制御部は、前記第１のアンテナの前記第１の共振点および前記第２の共振点のいずれか一方を前記所定の周波数に調整した結果、当該調整前に比して、前記第１のアンテナの前記第１の共振点および前記第２の共振点のいずれか他方が前記第２のアンテナの前記第３の共振点に係る周波数帯に近接した場合であって所定の条件を満たしたとき、前記調整手段により前記第１のアンテナの前記第１の共振点および前記第２の共振点のいずれか他方を前記所定の周波数に調整すると共に、当該調整の前後における前記第１のアンテナにより送信または受信される前記所定の周波数の信号の送信レベルまたは受信レベルを検出し、当該送信レベルまたは受信レベルが当該調整後よりも当該調整前が高い場合には、前記第１のアンテナの前記第１の共振点および前記第２の共振点のいずれか一方を前記所定の周波数に調整し、当該送信レベルまたは受信レベルが当該調整前よりも当該調整後が高い場合には、前記第１のアンテナの前記第１の共振点および前記第２の共振点のいずれか他方を前記所定の周波数に調整する、ことを特徴とする請求項１乃至請求項４のいずれか一項に記載の携帯端末。
【請求項６】
前記制御部は、前記調整手段により前記第１のアンテナの前記第１の共振点および前記第２の共振点のいずれか他方を前記所定の周波数に調整した後に、前記所定の条件を満たさなくなった場合であって、前記第１のアンテナの前記第１の共振点および前記第２の共振点のいずれか他方の利得よりも前記第１のアンテナの前記第１の共振点および前記第２の共振点のいずれか一方の利得が高いとき、前記調整手段により前記第１のアンテナの前記第１の共振点および前記第２の共振点のいずれか一方を前記所定の周波数に調整する、ことを特徴とする請求項１乃至請求項５のいずれか一項に記載の携帯端末。
【発明の詳細な説明】
【技術分野】
【０００１】
本発明は、複数の共振周波数帯の信号を送信または受信する携帯端末に関する。
【背景技術】
【０００２】
近年、携帯電話機等の携帯端末は、地上波デジタル（いわゆるワンセグ）放送等の放送波の周波数帯の信号を受信可能なものが普及している。ワンセグ放送の使用周波数帯は、４７０ＭＨｚ〜７７０ＭＨｚと広範囲であるため、携帯端末の内蔵アンテナでワンセグ放送における所望の周波数帯の信号を受信する場合には、受信する周波数（チャンネル）に応じて、バリキャップダイオード等により所望の周波数に調整する方法が知られている。
【０００３】
このような複数の周波数帯の信号を送信または受信する技術としては、例えば、特許文献１のような技術が提案されている。特許文献１には、受信アンテナまたは受信フィルタのいずれか一方または双方に共振周波数可変手段を設け、この共振周波数可変手段によって受信アンテナと受信フィルタのいずれか一方または双方の共振周波数を変化させる技術が提案されている。
【０００４】
ここで、使用周波数帯が広範囲な場合、使用周波数帯の範囲内で１つの共振点を用いて、この共振点を使用周波数帯の範囲内で可変させるよりも、使用周波数帯の範囲内で２つの共振点（第１の共振点、第２の共振点）を用い、一方の共振点で低い周波数帯の信号を受信し、他方の共振点で高い周波数帯の信号を受信することで効率よく所望の周波数帯の信号を受信できる。
【先行技術文献】
【特許文献】
【０００５】
【特許文献１】特開平８−３０７４０３号公報
【発明の概要】
【発明が解決しようとする課題】
【０００６】
しかし、第１の共振点および第２の共振点を有する第１のアンテナに対して、調整手段を用いて第１の共振点および第２の共振点を調整した場合に、第２のアンテナにより共振される信号が、意図せず第１の共振点および第２の共振点を有する第１のアンテナにより受信されると、この調整手段にノイズが侵入して第１のアンテナによる送信または受信に悪影響がおよぶおそれがある、という課題があった。
【０００７】
そこで、本発明は、第１のアンテナの第１の共振点および第２の共振点を調整した場合であっても、第１のアンテナによる送信または受信に悪影響がおよぶおそれを低減することができる携帯端末を提供することを目的とする。
【課題を解決するための手段】
【０００８】
本発明に係る携帯端末は、上記課題を解決するために、第１の共振点および第２の共振点を有する第１のアンテナと、前記第１の共振点および前記第２の共振点とは異なる第３の共振点を有する第２のアンテナと、前記第１のアンテナに接続され、前記第１のアンテナの前記第１の共振点および前記第２の共振点を併せて調整する調整手段と、前記第１のアンテナにより所定の周波数の信号を送信または受信する際、前記調整手段により前記第１のアンテナの前記第１の共振点および前記第２の共振点のいずれか一方を前記所定の周波数に調整して、前記第１のアンテナにより前記所定の周波数の信号を送信または受信する制御部と、を有し、前記制御部は、前記第１のアンテナの前記第１の共振点および前記第２の共振点のいずれか一方を前記所定の周波数に調整した結果、当該調整前に比して、前記第１のアンテナの前記第１の共振点および前記第２の共振点のいずれか他方が前記第２のアンテナの前記第３の共振点に係る周波数帯に近接した場合であって所定の条件を満たしたとき、前記調整手段により前記第１のアンテナの前記第１の共振点および前記第２の共振点のいずれか他方を前記所定の周波数に調整する、ことを特徴とする。
【０００９】
また、前記制御部は、前記第１のアンテナの前記第１の共振点および前記第２の共振点のいずれか一方を前記所定の周波数に調整した結果、前記第１のアンテナの前記第１の共振点および前記第２の共振点のいずれか他方が前記第２のアンテナの前記第３の共振点に係る周波数帯に重複した場合であって前記所定の条件を満たしたとき、前記調整手段により前記第１のアンテナの前記第１の共振点および前記第２の共振点のいずれか他方を前記所定の周波数に調整する、ことが好ましい。
【００１０】
また、前記制御部は、前記第２のアンテナによる前記第３の共振点に係る周波数帯の信号の送信または受信がされた場合には、前記所定の条件を満たしたものとして、前記調整手段により前記第１のアンテナの前記第１の共振点および前記第２の共振点のいずれか他方を前記所定の周波数に調整する、ことが好ましい。
【００１１】
また、前記制御部は、前記第２のアンテナによる前記第３の共振点に係る周波数帯の信号の送信または受信がされて、かつ当該信号の送信レベルまたは受信レベルが閾値を超えた場合には、前記所定の条件を満たしたものとして、前記調整手段により前記第１のアンテナの前記第１の共振点および前記第２の共振点のいずれか他方を前記所定の周波数に調整する、ことが好ましい。
【００１２】
また、前記制御部は、前記第１のアンテナの前記第１の共振点および前記第２の共振点のいずれか一方を前記所定の周波数に調整した結果、当該調整前に比して、前記第１のアンテナの前記第１の共振点および前記第２の共振点のいずれか他方が前記第２のアンテナの前記第３の共振点に係る周波数帯に近接した場合であって所定の条件を満たしたとき、前記調整手段により前記第１のアンテナの前記第１の共振点および前記第２の共振点のいずれか他方を前記所定の周波数に調整すると共に、当該調整の前後における前記第１のアンテナにより送信または受信される前記所定の周波数の信号の送信レベルまたは受信レベルを検出し、当該送信レベルまたは受信レベルが当該調整後よりも当該調整前が高い場合には、前記第１のアンテナの前記第１の共振点および前記第２の共振点のいずれか一方を前記所定の周波数に調整し、当該送信レベルまたは受信レベルが当該調整前よりも当該調整後が高い場合には、前記第１のアンテナの前記第１の共振点および前記第２の共振点のいずれか他方を前記所定の周波数に調整する、ことが好ましい。
【００１３】
また、前記制御部は、前記調整手段により前記第１のアンテナの前記第１の共振点および前記第２の共振点のいずれか他方を前記所定の周波数に調整した後に、前記所定の条件を満たさなくなった場合であって、前記第１のアンテナの前記第１の共振点および前記第２の共振点のいずれか他方の利得よりも前記第１のアンテナの前記第１の共振点および前記第２の共振点のいずれか一方の利得が高いとき、前記調整手段により前記第１のアンテナの前記第１の共振点および前記第２の共振点のいずれか一方を前記所定の周波数に調整する、ことが好ましい。
【発明の効果】
【００１４】
本発明の携帯端末によれば、第１のアンテナ第１の共振点および第２の共振点を調整した場合であっても、第１のアンテナによる送信または受信に悪影響がおよぶおそれを低減することができる。
【図面の簡単な説明】
【００１５】
【図１】携帯電話機を開いた状態を示す外観斜視図である。
【図２】第１実施形態に係る携帯電話機の機能を示すブロック図である。
【図３】放送波の周波数が調整される際の周波数特性を示す図である。
【図４】放送波の周波数が調整される際の周波数特性を示す図である。
【図５】放送波の周波数ｆ１が調整される際の周波数特性を示す図である。
【図６】コントロール電圧テーブルの具体例を示す図である。
【発明を実施するための形態】
【００１６】
＜第１実施形態＞
以下、図面を参照して本発明を実施するための最良の形態を説明する。
図１により、本発明の好ましい一実施形態に係る携帯端末としての携帯電話機１における基本構造を説明する。図１は、携帯電話機１を開いた状態を示す外観斜視図である。
【００１７】
図１に示すように、携帯電話機１は、操作部側筐体２と、表示部側筐体３とを備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことで開閉状態を形成可能に構成される。
【００１８】
すなわち、携帯電話機１は、連結部４を介して連結された操作部側筐体２と表示部側筐体３とを相対的に回転（回動）することにより、操作部側筐体２と表示部側筐体３とを互いに開いた状態である開状態にしたり、操作部側筐体２と表示部側筐体３とを折り畳んだ状態である閉状態にしたりできる。
【００１９】
操作部側筐体２は、その外面がフロントケース２ａとリアケース２ｂとにより構成される。操作部側筐体２は、フロントケース２ａ側に、操作キー群１１と、携帯電話機１の使用者が通話時に発した音声が入力される音声入力部としてのマイク１２とが、それぞれ露出するように構成される。
【００２０】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２１】
マイク１２は、操作部側筐体２の長手方向における連結部４側とは反対の外端部（下端部）側に配置される。つまり、マイク１２は、携帯電話機１の開状態において一方の外端部側に配置される。
【００２２】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入および取り出しが行われるインターフェース（図示せず）とが配置される。インターフェースは、キャップにより覆われている。各インターフェースは、不使用時にはキャップにより覆われる。
【００２３】
表示部側筐体３は、その外面がフロントケース３ａとリアケース３ｂとにより構成される。表示部側筐体３におけるフロントケース３ａには、各種情報を表示するための表示部２１と、通話の相手側の音声を出力するレシーバとしての音声出力部２２とが、それぞれ露出して配置される。ここで、表示部２１は、液晶パネル、この液晶パネルを駆動する駆動回路、この液晶パネルの背面側から光を照射するバックライト等の光源部等から構成される。
【００２４】
図２は、第１実施形態に係る携帯電話機１の機能を示すブロック図である。図２に示すように、携帯電話機１は、操作キー群１１と、表示部２１と、音声出力部２２と、第１のアンテナ３０と、マッチング回路３１（調整手段）と、フィルタ３２と、チューナ部３３（調整手段）と、デコーダ部３４と、第２のアンテナ３５と、ＲＦ回路部３６と、メモリ４４と、制御部４９と、を備える。
【００２５】
第１のアンテナ３０は、地上波デジタルテレビ放送等の放送波を受信する。また、第１のアンテナ３０は、第１の共振点Ｒ１および第２の共振点Ｒ２を有するように構成されている。
【００２６】
マッチング回路３１は、第１のアンテナ３０と、フィルタ３２と、チューナ部３３とに電気的に接続され、バリキャップダイオード等を含んで構成される。マッチング回路３１は、例えば、チューナ部３３の制御に従い、バリキャップダイオードの容量値を変動させることにより第１の共振点Ｒ１および第２の共振点Ｒ２を調整する。
【００２７】
フィルタ３２は、マッチング回路３１とチューナ部３３との間に電気的に接続される。フィルタ３２は、チューナ部３３に内蔵されていてもよい。第２のアンテナ３５から基地局へ第１の使用周波数帯の信号が出力されると、この信号が第１のアンテナ３０により受信される場合がある。このような場合に、フィルタ３２は、第１のアンテナ３０により受信された第１の使用周波数帯の信号を吸収する。このようにして、フィルタ３２が設けられることにより、第２のアンテナ３５から送信される信号強度の大きな第１の使用周波数帯の信号は、チューナ部３３に入力することが抑制される。
【００２８】
チューナ部３３は、制御部４９からの指示に応じて、受信した放送波から制御部４９の指示に基づく信号を抽出し、抽出した信号を復調する。そして、チューナ部３３は、復調した信号をデコーダ部３４へ出力する。
【００２９】
デコーダ部３４は、チューナ部３３から供給された信号を復号して、表示情報および音声情報を生成する。そして、デコーダ部３４は、生成された表示情報を表示部２１へ出力し、生成された音声情報を音声出力部２２へ出力する。
【００３０】
第２のアンテナ３５は、第１の共振点Ｒ１および第２の共振点Ｒ２とは異なる第３の共振点Ｒ３を有し、基地局等と通信を行う。なお、第１実施形態では、第１の使用周波数帯として、８００ＭＨｚとしたが、これ以外の周波数帯であってもよい。
【００３１】
ＲＦ回路部３６は、第２のアンテナ３５によって受信した信号を復調し、復調後の信号を制御部４９に供給する。また、ＲＦ回路部３６は、制御部４９から供給された信号を変調し、変調後の信号を第２のアンテナ３５を介して外部装置（基地局）に送信する。
【００３２】
メモリ４４は、例えば、ワーキングメモリを含み、制御部４９による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００３３】
制御部４９は、携帯電話機１の全体を制御しており、中央処理装置（ＣＰＵ）等により構成される。
【００３４】
ここで、放送波の周波数が調整される際の動作について図３および図４を参照しながら説明する。図３および図４は、放送波の周波数が調整される際の周波数特性を示す図である。図３および図４に示すように、縦軸は、ＶＳＷＲ（Ｖｏｌｔａｇｅ  Ｓｔａｎｄｉｎｇ  Ｗａｖｅ  Ｒａｔｉｏ）を示し、横軸は、周波数を示す。
【００３５】
図３に示す周波数特性では、第１のアンテナ３０で受信される放送波の周波数帯には、共振点Ｒ１１およびＲ１２が含まれており、第２のアンテナ３５で受信される第１の使用周波数帯には、共振点Ｒ１３が含まれる。図４に示す周波数特性では、第１のアンテナ３０で受信される放送波の周波数には、共振点Ｒ２１およびＲ２２が含まれており、第２のアンテナ３５で受信される第１の使用周波数帯には、共振点Ｒ２３が含まれる。
【００３６】
図３および図４に示すように、放送波の周波数帯において、２つの共振点の利得を同等に確保することは難しいため、チャンネル（放送局）の多い低い共振点（共振点Ｒ１１およびＲ２１）を高い利得に設定する場合が多い。
【００３７】
ここで、上述したように第１のアンテナ３０で受信される放送波の周波数帯には、２つの共振点が含まれていることが好ましい。これは、放送波の周波数帯は広範囲であるため、放送波の周波数帯の範囲内で１つの共振点を用いて、この共振点を周波数帯の範囲内で可変させるよりも、放送波の周波数帯の範囲内で２つの共振点を用い、一方の共振点で低い周波数帯の信号を受信し、他方の共振点で高い周波数帯の信号を受信することで効率よく所望の周波数帯の信号を受信できるからである。
【００３８】
具体的には、図３（ａ）および（ｂ）に示すように、所望の周波数ｆ１１の信号を受信するために、制御部４９は、マッチング回路３１により共振点Ｒ１１を所望の周波数ｆ１１に調整する。同様にして、図４（ａ）および（ｂ）に示すように、所望の周波数ｆ２１の信号を受信するために、制御部４９は、マッチング回路３１により共振点Ｒ２１を所望の周波数ｆ２１に調整する。
【００３９】
このように、第１のアンテナ３０は、通常、所望の周波数に近い共振点をマッチング回路３１により所望の周波数に調整することで、放送波を受信している。なお、図３および図４に示すように、放送波の周波数帯において、２つの共振点のうち、一方の共振点をマッチング回路３１により所望の周波数に調整した場合、他方の共振点もこれに伴って調整される。
【００４０】
しかし、第１のアンテナ３０により放送波の周波数帯を受信すると共に、第２のアンテナ３５により第１の使用周波数帯の信号を送信する場合には、以下のような問題が発生する可能性がある。
【００４１】
図３（ｂ）に示すように、共振点Ｒ１１を放送波の周波数ｆ１１に調整して、共振点Ｒ１１により周波数ｆ１１を送信または受信する際、調整後の共振点Ｒ１２と共振点Ｒ１３とは、共振周波数が互いに離れることとなるため、その後、共振点Ｒ１３により第１の使用周波数帯Ｌ１２の信号が送信または受信されたとしても、第１のアンテナ３０の共振点Ｒ１２によっては第１の使用周波数帯Ｌ１２の信号は受信されにくい。このため、第１のアンテナ３０と第２のアンテナ３５との干渉は抑制される。
【００４２】
一方、図４（ｂ）に示すように、共振点Ｒ２１を放送波の周波数ｆ２１に調整して、共振点Ｒ２２により周波数ｆ２１を送信または受信する際、調整後の共振点Ｒ２２と共振点Ｒ２３との距離が互いに近接（重複）する場合には、その後、共振点Ｒ２３により第１の使用周波数帯Ｌ２２の信号が送信または受信されると、第１のアンテナ３０の共振点Ｒ２２によっても第１の使用周波数帯Ｌ２２の信号が受信されやすい。このため、この場合には、第１のアンテナ３０と第２のアンテナ３５との干渉が生じやすい。
【００４３】
フィルタ３２によりチューナ部３３に第１の使用周波数帯Ｌ２２の信号が入力されることは抑制されるが、マッチング回路３１を構成するバリキャップダイオード等の素子には、大きな信号強度を有する共振点Ｒ２３に係る第１の使用周波数帯Ｌ２２の信号が入力される。これにより、バリキャップダイオード等の素子のひずみや誤作動が発生し、共振点Ｒ２２に調整された周波数帯の信号の利得が低下する可能性がある。
【００４４】
次に、第１実施形態の制御部４９により放送波の周波数ｆ１が調整される際の動作について図５を参照しながら説明する。図５は、放送波の周波数ｆ１が調整される際の周波数特性を示す図である。詳細には、図５（ａ）は、第１の共振点Ｒ１を放送波の周波数ｆ１に調整する前の状態を示す図であり、図５（ｂ）は、第１の共振点Ｒ１を放送波の周波数ｆ１に調整した際の状態を示す図であり、図５（ｃ）は、第２の共振点Ｒ２を放送波の周波数ｆ１に調整した際の状態を示す図である。
【００４５】
図５（ａ）〜（ｃ）に示す周波数特性では、第１のアンテナ３０で受信される放送波の周波数帯には、第１の共振点Ｒ１および第２の共振点Ｒ２が含まれ、第２のアンテナ３５で受信される第１の使用周波数帯Ｌ２には、第３の共振点Ｒ３が含まれる。
【００４６】
制御部４９は、第１のアンテナ３０により周波数ｆ１の信号を受信する際、マッチング回路３１により第１のアンテナ３０の第１の共振点Ｒ１および第２の共振点Ｒ２のいずれか一方を周波数ｆ１に調整して、第１のアンテナ３０により周波数ｆ１の信号を受信する。
【００４７】
そして、制御部４９は、第１のアンテナ３０の第１の共振点Ｒ１および第２の共振点Ｒ２のいずれか一方を周波数ｆ１に調整した結果、調整前に比して、第１のアンテナ３０の第１の共振点Ｒ１および第２の共振点Ｒ２のいずれか他方が第２のアンテナ３５の第３の共振点Ｒ３に係る第１の使用周波数帯Ｌ２に近接した場合であって、所定の条件を満たしたとき、チューナ部３３を制御して、マッチング回路３１により第１のアンテナ３０の第１の共振点Ｒ１および第２の共振点Ｒ２のいずれか他方を周波数ｆ１に調整する。
【００４８】
同様にして、制御部４９は、第１のアンテナ３０の第１の共振点Ｒ１および第２の共振点Ｒ２のいずれか一方を周波数ｆ１に調整した結果、第１のアンテナ３０の第１の共振点Ｒ１および第２の共振点Ｒ２のいずれか他方が第２のアンテナ３５の第３の共振点Ｒ３に係る第１の使用周波数帯Ｌ２に重複した場合であって、所定の条件を満たしたとき、チューナ部３３を制御して、マッチング回路３１により第１のアンテナ３０の第１の共振点Ｒ１および第２の共振点Ｒ２のいずれか他方を周波数ｆ１に調整する。
【００４９】
具体的には、図５（ａ）に示すように、放送波の周波数ｆ１は、第２の共振点Ｒ２よりも第１の共振点Ｒ１に近接しているため、制御部４９は、第１のアンテナ３０の第１の共振点Ｒ１を周波数ｆ１に調整する（図５（ｂ）参照）。
【００５０】
そして、制御部４９は、第１のアンテナ３０の第１の共振点Ｒ１を周波数ｆ１に調整した結果（図５（ｂ）参照）、第１のアンテナ３０の第２の共振点Ｒ２が第２のアンテナ３５の第３の共振点Ｒ３に係る第１の使用周波数帯Ｌ２に近接または重複した場合であって、所定の条件を満たしたとき、チューナ部３３を制御して、マッチング回路３１により第１のアンテナ３０の第２の共振点Ｒ２を周波数ｆ１に調整する（図５（ｃ）参照）。
【００５１】
この場合、第１のアンテナ３０は、第２の共振点Ｒ２において周波数ｆ１の信号を受信するため、第２のアンテナ３５により送信される第１の使用周波数帯Ｌ２の信号は、第１のアンテナ３０の第２の共振点Ｒ２では受信されない。
【００５２】
ここで、「第１のアンテナ３０の第１の共振点Ｒ１および第２の共振点Ｒ２のいずれか他方が第２のアンテナ３５の第３の共振点Ｒ３に係る第１の使用周波数帯Ｌ２に近接する」とは、共振点を放送波の周波数ｆ１に調整する前における第１の共振点Ｒ１または第２の共振点Ｒ２と第３の共振点Ｒ３との距離が、共振点を放送波の周波数ｆ１に調整した後における第１の共振点Ｒ１または第２の共振点Ｒ２と第３の共振点Ｒ３との距離よりも相対的に短くなっていることをいう。
【００５３】
また、「第１のアンテナ３０の第１の共振点Ｒ１および第２の共振点Ｒ２のいずれか他方が第２のアンテナ３５の第３の共振点Ｒ３に係る第１の使用周波数帯Ｌ２に重複する」とは、第１の共振点Ｒ１または第２の共振点Ｒ２が、第３の共振点Ｒ３に係る第１の使用周波数帯Ｌ２の範囲内にあることをいう。
【００５４】
ここで、上述した「所定の条件」としては、以下に説明するような条件を用いることができる。例えば、制御部４９は、第２のアンテナ３５による第３の共振点Ｒ３に係る周波数帯の信号の送信または受信がされた場合には、所定の条件を満たしたものとして、チューナ部３３を制御して、マッチング回路３１により第１のアンテナ３０の第１の共振点Ｒ１または第２の共振点Ｒ２を周波数ｆ１に調整する。
【００５５】
また、制御部４９は、第２のアンテナ３５による第３の共振点Ｒ３に係る第１の使用周波数帯Ｌ２の信号の送信または受信がされて、かつ、この信号の受信レベルが閾値を超えた場合に、所定の条件を満たしたものとして、チューナ部３３を制御して、マッチング回路３１により第１のアンテナ３０の第１の共振点Ｒ１または第２の共振点Ｒ２を周波数ｆ１に調整するように制御してもよい。
【００５６】
図６は、受信レベルの閾値として用いられるコントロール電圧テーブルの一例を示す図である。図６に示すように、放送波のチャンネル（周波数）および第１の使用周波数帯の信号の電力比ごとに第１の共振点Ｒ１または第２の共振点Ｒ２が設定されている。なお、図６中の「１」は、第１の共振点Ｒ１を示し、「２」は、第２の共振点Ｒ２を示す。また、コントロール電圧テーブルは、使用周波数帯（例えば、ＣＤＭＡ、ＰＣＳ、ＩＭＴ−２００、ＧＳＭ等）ごとに作成され、メモリ４４内に記憶される。
【００５７】
図６のコントロール電圧テーブルは、チャンネル１３〜３３において、第１の共振点Ｒ１を用い、チャンネル５３〜６２において、第２の共振点Ｒ２を用いるように設定されている。そして、コントロール電圧テーブルは、チャンネル４３〜５２において、電力比１０ｄＢｍまでは第１の共振点Ｒ１を用いるが、電力比１５〜２５ｄＢｍでは第２の共振点Ｒ２を用いるように設定されている。
【００５８】
すなわち、制御部４９は、コントロール電圧テーブルを参照して、第１の共振点Ｒ１を周波数ｆ１に調整した場合（チャンネル４３〜５２）であっても、共振点Ｒ２３に係る第１の使用周波数帯Ｌ２の信号が送信される際の電力比が高い場合（電力比１５〜２５ｄＢｍ）には、所定の条件を満たしたものとして、チューナ部３３を制御して、マッチング回路３１により第２の共振点Ｒ２を周波数ｆ１に調整するように制御する。
【００５９】
第１実施形態の携帯電話機１によれば、制御部４９は、第１のアンテナ３０の第１の共振点Ｒ１および第２の共振点Ｒ２のいずれか一方を周波数ｆ１に調整した結果、調整前に比して、第１のアンテナ３０の第１の共振点Ｒ１および第２の共振点Ｒ２のいずれか他方が第２のアンテナ３５の第３の共振点Ｒ３に係る周波数帯に近接または重複した場合であって、所定の条件を満たしたとき、チューナ部３３を制御して、マッチング回路３１により第１のアンテナ３０の第１の共振点Ｒ１および第２の共振点Ｒ２のいずれか他方を所定の周波数に調整する。
【００６０】
このため、携帯電話機１は、意図せずに、第１のアンテナ３０と第２のアンテナ３５との干渉は抑制されるため、例えば、第２のアンテナ３５の第３の共振点Ｒ３に係る周波数帯の信号が第１のアンテナ３０の第１の共振点Ｒ１または第２の共振点Ｒ２により受信され、受信に起因してマッチング回路３１に侵入するノイズにより第１のアンテナ３０における周波数ｆ１の信号の受信への悪影響（例えば、周波数ｆ１の信号を受信する際の利得の低下）を抑制することができる。
【００６１】
また、第３の共振点Ｒ３に係る周波数帯の信号の受信に起因してマッチング回路３１に侵入するノイズにより第１のアンテナ３０による周波数ｆ１の信号の受信への悪影響を抑制することができるため、第１のアンテナ３０、マッチング回路３１、第２のアンテナ３５等の設計の自由度を向上させることができる。さらに、第３の共振点Ｒ３に係る周波数帯の信号がチューナ部３３に入力されることを抑制するために設けられるフィルタ３２を安価なものにしたり、フィルタ３２自体を設けずに設計することができ、コストダウンを図ることができる。
【００６２】
また、第１実施形態の携帯電話機１によれば、制御部４９は、第２のアンテナ３５による第３の共振点Ｒ３に係る周波数帯の信号の送信または受信がされた場合には、所定の条件を満たしたものとして、チューナ部３３を制御して、マッチング回路３１により第１のアンテナ３０の第１の共振点Ｒ１および第２の共振点Ｒ２のいずれか他方を周波数ｆ１に調整する。
【００６３】
このため、携帯電話機１は、マッチング回路３１に侵入するノイズの直接的な要因となる第２のアンテナ３５による第３の共振点Ｒ３に係る第１の使用周波数帯Ｌ２の信号の受信がされるまでは、第１のアンテナ３０の第１の共振点Ｒ１および第２の共振点Ｒ２のいずれか一方により周波数ｆ１の信号を受信するため、制御の簡素化を図ることができる。
【００６４】
また、第１実施形態の携帯電話機１によれば、制御部４９は、第２のアンテナ３５による第３の共振点Ｒ３に係る第１の使用周波数帯Ｌ２の信号の送信または受信がされて、かつ、この信号の受信レベルが閾値を超えた場合には、所定の条件を満たしたものとして、チューナ部３３を制御して、マッチング回路３１により第１のアンテナ３０の第１の共振点Ｒ１および第２の共振点Ｒ２のいずれか他方を周波数ｆ１に調整するように制御する。
【００６５】
このため、携帯電話機１は、マッチング回路３１に侵入するノイズの直接的な要因となる第２のアンテナ３５による第３の共振点Ｒ３に係る周波数帯の信号の送信または受信がされても、その影響が無視できないと推定される第３の共振点Ｒ３に係る周波数帯の信号の受信レベルが閾値を超えるまでは、第１のアンテナ３０の第１の共振点Ｒ１および第２の共振点Ｒ２のいずれか一方により周波数ｆ１の信号を受信するため、制御の更なる簡素化が図られる。
【００６６】
＜第２実施形態＞
次に、本発明の携帯電話機１の第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００６７】
第２実施形態の制御部４９は、受信レベルの閾値を用いる点が第１実施形態とは主として異なる。
【００６８】
第２実施形態の制御部４９により放送波の周波数が調整される際の動作について図５を参照しながら説明する。
【００６９】
第２実施形態の制御部４９は、第１実施形態と同様に、第１のアンテナ３０の第１の共振点Ｒ１および第２の共振点Ｒ２のいずれか一方を周波数ｆ１に調整した結果、調整前に比して、第１のアンテナ３０の第１の共振点Ｒ１および第２の共振点Ｒ２のいずれか他方が第２のアンテナ３５の第３の共振点Ｒ３に係る第１の使用周波数帯Ｌ２に近接した場合であって、所定の条件を満たしたとき、チューナ部３３を制御して、マッチング回路３１により第１のアンテナ３０の第１の共振点Ｒ１および第２の共振点Ｒ２のいずれか他方を周波数ｆ１に調整する。
【００７０】
次に、制御部４９は、この調整の前後における第１のアンテナ３０により受信される周波数ｆ１の信号の受信レベルを検出する。そして、制御部４９は、検出された送信レベルまたは受信レベルが調整後よりも調整前が高い場合には、第１のアンテナ３０の第１の共振点Ｒ１および第２の共振点Ｒ２のいずれか一方を周波数ｆ１に調整する。
【００７１】
具体的には、第２の共振点Ｒ２を周波数ｆ１に調整した場合（図５（ｃ）参照）、制御部４９は、第１の共振点Ｒ１を周波数ｆ１に調整した場合および第２の共振点Ｒ２を周波数ｆ１に調整した場合における周波数ｆ１の信号の受信品質を示すＣ／Ｎ（Ｃａｒｒｉｅｒ  ｔｏ  Ｎｏｉｓｅ  Ｒａｔｉｏ、受信電力対雑音比）を受信レベルとしてそれぞれ検出する。
【００７２】
ここで、Ｃ／Ｎの値は、第１の共振点Ｒ１を周波数ｆ１に調整した場合における周波数ｆ１の信号の受信電力および雑音、または第２の共振点Ｒ２を周波数ｆ１に調整した場合における周波数ｆ１の信号の受信電力および雑音に基づいて、制御部４９により算出される。
【００７３】
そして、制御部４９は、第２の共振点Ｒ２を周波数ｆ１に調整した後（図５（ｃ）参照）に検出されたＣ／Ｎよりも第２の共振点Ｒ２を周波数ｆ１に調整する前（図５（ｂ）参照）に検出されたＣ／Ｎが高い場合には、第１のアンテナ３０の共振点を第２の共振点Ｒ２に代えて、第１の共振点Ｒ１を周波数ｆ１に調整する（図５（ｂ）参照）。
【００７４】
一方、制御部４９は、検出された送信レベルまたは受信レベルが調整前よりも調整後が高い場合には、第１のアンテナ３０の第１の共振点Ｒ１および第２の共振点Ｒ２のいずれか他方を周波数ｆ１に調整する。
【００７５】
具体的には、制御部４９は、第２の共振点Ｒ２を周波数ｆ１に調整する前（図５（ｃ）参照）に検出されたＣ／Ｎよりも第２の共振点Ｒ２を周波数ｆ１に調整した後（図５（ｂ）参照）に検出されたＣ／Ｎが高い場合には、共振点の調整を行わず、第２の共振点Ｒ２を周波数ｆ１で維持する。
【００７６】
さらに、制御部４９は、チューナ部３３を制御して、マッチング回路３１により第１のアンテナ３０の第１の共振点Ｒ１および第２の共振点Ｒ２のいずれか他方を周波数ｆ１に調整した後に、所定の条件を満たさなくなった場合であって、第１のアンテナ３０の第１の共振点Ｒ１および第２の共振点Ｒ２のいずれか他方の利得よりも第１のアンテナ３０の第１の共振点Ｒ１および第２の共振点Ｒ２のいずれか一方の利得が高いとき、チューナ部３３を制御して、マッチング回路３１により第１のアンテナ３０の第１の共振点Ｒ１および第２の共振点Ｒ２のいずれか一方を周波数ｆ１に調整する。
【００７７】
具体的には、制御部４９は、第２の共振点Ｒ２を周波数ｆ１に調整した（図５（ｃ）参照）後に、所定の条件を満たさなくなった場合であって、第１のアンテナ３０の第２の共振点Ｒ２の利得よりも第１の共振点Ｒ１の利得が高いとき、チューナ部３３を制御して、マッチング回路３１により第１の共振点Ｒ１を周波数ｆ１に調整する（図５（ｂ）参照）。
【００７８】
同様にして、制御部４９は、第１の共振点Ｒ１を周波数ｆ１に調整した（図５（ｂ）参照）後に、所定の条件を満たさなくなった場合であって、第１のアンテナ３０の第１の共振点Ｒ１の利得よりも第２の共振点Ｒ２の利得が高いとき、チューナ部３３を制御して、マッチング回路３１により第２の共振点Ｒ２を周波数ｆ１に調整する（図５（ｃ）参照）。
【００７９】
なお、所定の条件としては、第１実施形態で説明した条件を適用することができる。また、第１のアンテナ３０の第１の共振点Ｒ１および第２の共振点Ｒ２の利得は、第１の共振点Ｒ１および第２の共振点Ｒ２において受信された周波数ｆ１の信号に基づいて、制御部４９により算出される。
【００８０】
第２実施形態の携帯電話機１によれば、制御部４９は、検出された送信レベルまたは受信レベルが調整後よりも調整前が高い場合には、第１のアンテナ３０の第１の共振点Ｒ１および第２の共振点Ｒ２のいずれか一方を周波数ｆ１に調整し、検出された送信レベルまたは受信レベルが調整前よりも調整後が高い場合には、第１のアンテナ３０の第１の共振点Ｒ１および第２の共振点Ｒ２のいずれか他方を周波数ｆ１に調整する。
【００８１】
これにより、携帯電話機１は、検出された受信レベルが高い共振点を周波数ｆ１に調整するため、第１のアンテナ３０により受信される周波数ｆ１の信号の受信レベルの最適化を実現することができる。
【００８２】
また、第２実施形態の携帯電話機１によれば、第１の共振点Ｒ１および第２の共振点Ｒ２のいずれか他方を周波数ｆ１に調整した後に、所定の条件を満たさなくなった場合であって、第１のアンテナ３０の第１の共振点Ｒ１および第２の共振点Ｒ２のいずれか他方の利得よりも第１のアンテナ３０の第１の共振点Ｒ１および第２の共振点Ｒ２のいずれか一方の利得が高いとき、チューナ部３３を制御して、マッチング回路３１により第１のアンテナ３０の第１の共振点Ｒ１および第２の共振点Ｒ２のいずれか一方を周波数ｆ１に調整する。
【００８３】
これにより、携帯電話機１は、調整後に所定の条件を満たさなくなった場合において、検出された受信レベルが高く、かつ、利得が高い共振点を周波数ｆ１に調整するため、第１のアンテナ３０により受信される周波数ｆ１の信号の受信レベルの最適化を実現することができる。
【００８４】
以上、本発明の実施形態について説明したが、本発明は上述した実施形態に制限されるものではなく、適宜変更が可能である。例えば、上述した実施形態では、第１のアンテナ３０により放送波および第１の使用周波数帯の信号を受信する際の動作について説明したが、本発明はこれに制限されず、第１のアンテナ３０により放送波および第１の使用周波数帯の信号を送信する際の動作についても同様に適用することができる。
【００８５】
また、上述した実施形態では、第１のアンテナ３０により受信される周波数として放送波の周波数を用いたが、本発明はこれに制限されず、他の使用周波数帯を用いてもよい。
【００８６】
以上の実施形態では、携帯電話機１について説明したが、本発明は携帯電話機に限定されるものではなく、例えば、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等の携帯端末に適用することができる。
【符号の説明】
【００８７】
１  携帯電話機（携帯端末）
３０  第１のアンテナ
３１  マッチング回路（調整手段）
３３  チューナ部（調整手段）
３５  第２のアンテナ
４９  制御部
【図１】
2011071946.tif 000003
【図２】
2011071946.tif 000004
【図３】
2011071946.tif 000005
【図４】
2011071946.tif 000006
【図５】
2011071946.tif 000007
【図６】
2011071946.tif 000008